(57)【要約】【課題】本発明はセルフサービス方式で満タン給液を設定する場合の操作手順に迷わないことを課題とする。【解決手段】燃料供給装置の設定器は、液晶モニタなどからなるタッチパネル４９を有する。タッチパネル４９に表示される確認釦９０ｆは、顧客（運転者）が量指定釦９０ｄまたは金額指定釦９０ｅを押圧操作しない場合には、「満タン」と表示され、顧客（運転者）が量指定釦９０ｄまたは金額指定釦９０ｅを押圧操作した場合には、「確認」と表示される。そのため、満タン供給モードで給液する場合には、液種を選択した後、確認釦９０ｆを押圧操作すれば良いことが容易に分かる。【選択図】    図７
2004175374.tif 000002
【特許請求の範囲】
【請求項１】
任意の設定釦を押圧操作することにより燃料の供給量あるいは供給量に対応する金額を設定するプリセット供給モードまたは満タン供給モードを選択的に設定する設定器と、該設定器に設定された設定量の燃料を供給するように燃料の供給量を制御する供給量制御手段とを備えた燃料供給装置において、
前記設定器で前記プリセット供給モードが選択されない場合、前記確認釦の近傍に満タンを表示し、前記設定器で前記プリセット供給モードが選択された場合、設定量を確認するための確認釦の近傍に確認を表示する表示制御手段を備えたことを特徴とする燃料供給装置。
【請求項２】
燃料の供給量あるいは供給量に対応する金額が設定された場合にプリセット供給モードであると認識するプリセット供給モード判別手段と、
前記満タンと表示された前記確認釦を押圧操作した場合に満タン供給モードであると認識する満タン供給モード判別手段と、
を備えたことを特徴とする請求項１記載の燃料供給装置。
【発明の詳細な説明】
【０００１】
【発明の属する技術分野】
本発明は燃料供給装置に係り、特に車両の燃料タンクに予め設定された燃料供給モード（プリセット供給モードまたは満タン供給モード）で燃料を供給するよう構成した燃料供給装置に関する。
【０００２】
【従来の技術】
例えば、ガソリンや軽油等の油液を車両の燃料タンクに供給する燃料供給システムを例に挙げて以下説明する。
【０００３】
セルフサービス方式の燃料供給装置が設置された給液所（燃料供給所）等では、運転者自身が給液量の設定、給液作業、給液料金の精算を行うようになっている。そのため、運転者は、給液料金の精算方法を指定した後、給液を行う前に設定器のスイッチ操作により所定の液種、給液量または給液金額などの入力を行うようになっている。給液料金の精算方法としては、現金で支払う方法、プリペイドカードやクレジットカードで支払う方法等がある。
【０００４】
また、セルフサービス方式の燃料供給装置では、液種、給液量または給液金額の設定を行う設定器、及び紙幣が入金される自動支払機が設けられており、給液場所で給液料金の精算を行うことができる。
【０００５】
また、上記設定器では、液種、給液量または給液金額などの給液に関する条件を設定するための各種スイッチ釦が設けられている。そして、プリセット給液を行う場合には、現金またはプリペイドカードを挿入した後、各種スイッチ釦を押圧操作して液種、プリセット値（給液量または給液金額）を設定した後、確認釦をオンに操作すると、給液ノズルによる給液が可能になる（例えば、特許文献１参照）。
【０００６】
また、上記のような各種操作釦スイッチを配置させる構成に代わってタッチパネル方式のモニタに操作すべき操作釦を表示させる方法も提案されている。
【０００７】
このタッチパネル方式のモニタに各種操作釦を表示するように構成された設定器では、モニタ画面に表示された各種操作釦の表示領域に触れることで支払い方法、液種、プリセット値（給液量または給液金額）などを容易に設定することが可能になる（例えば、特許文献２参照）。
【０００８】
【特許文献１】
特開２００２−１４５３９９号公報
【特許文献２】
特開２００２−３０８３９５号公報
【０００９】
【発明が解決しようとする課題】
上記特許文献１、２に記載された従来の燃料供給装置では、満タン供給モードで給液する場合、設定器で支払い方法（現金またはカード）と液種を設定するだけで給液可能な状態になるため、液種を設定した後は確認釦をオンに操作することになる。
【００１０】
しかしながら、従来の燃料供給装置において、満タン供給モードを選択しようとする操作者は、液種を設定した後、どのように操作するのか分からず、満タン供給モードを設定できないものと勘違いをしてプリセット供給モードにしたり、あるいは給液所の係員に満タン供給モードの設定方法を質問することになり、設定操作に手間がかかり、その分給液開始が遅れるという問題があった。
【００１１】
そこで、本発明は上記課題を解決した燃料供給装置を提供することを目的とする。
【００１２】
【課題を解決するための手段】
本発明は上記課題を解決するため、以下のような特徴を有する。
上記請求項１記載の発明は、任意の設定釦を押圧操作することにより燃料の供給量あるいは供給量に対応する金額を設定するプリセット供給モードまたは満タン供給モードを選択的に設定する設定器と、設定器に設定された設定量の燃料を供給するように燃料の供給量を制御する供給量制御手段とを備えた燃料供給装置において、設定器でプリセット供給モードが選択されない場合、確認釦の近傍に満タンを表示し、設定器でプリセット供給モードが選択された場合、設定量を確認するための確認釦の近傍に確認を表示する表示制御手段を備えたものであり、満タン供給モードで給液する場合の設定操作が容易に行えるので、燃料供給所の係員に操作方法を確認する必要もなく、供給開始までの操作時間を短縮して作業効率を高めることが可能になる。
【００１３】
上記請求項２記載の発明は、燃料の供給量あるいは供給量に対応する金額が設定された場合にプリセット供給モードであると認識するプリセット供給モード判別手段と、満タンと表示された確認釦を押圧操作した場合に満タン供給モードであると認識する満タン供給モード判別手段と、を備えたものであり、操作者がプリセット供給モードを希望するのか、満タン供給モードを希望するのかを正確に認識することが可能になる。
【００１４】
【発明の実施の形態】
以下、図面と共に本発明の実施の形態について説明する。
図１は本発明になる燃料供給装置の一実施例が適用された給液システムの構成図である。
図１に示されるように、給液システム１０は、給液エリア１２に設置された釣り銭機１４と、複数の燃料供給装置１６（１６１〜１６ｎ）と、事務所１８内に設置されたＰＯＳ本体２０と、ＰＯＳ本体２０に接続された記憶装置２２とを有する。釣り銭機１４は、釣り銭を支払うための装置であり、係員の釣り銭補充作業を容易にするため、事務所の近傍に設けられている。
【００１５】
燃料供給装置１６は、セルフサービス給液方式の計量機２４と、計量機２４に搭載された設定器２６と、料金をその場で入金するための自動支払機（入金機）２８とを有する。また、釣り銭機１４及び複数の燃料供給装置１６（１６１〜１６ｎ）は、通信回線（例えば、ＳＳ−ＬＡＮ）３０を介してＰＯＳ本体２０と接続されている。
【００１６】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１７】
図２は燃料供給装置１６の正面図である。
図２に示されるように、燃料供給装置１６は、セルフサービス方式の計量機２４からなり、操作部３８と、操作部３８の両側に起立する支柱４０，４２と、上部に横架されたホース支持部４４とを有する。
【００１８】
計量機２４の内部には、後述する各給液系統の電磁弁と、給液ポンプと、流量計などの各機器が設けられている。
【００１９】
操作部３８には、静電気除去シート４６と、静電気除去シート４６の右側に配置された設定器２６と、自動支払機２８と、インタホン４８とが設けられている。設定器２６は、液晶モニタなどからなるタッチパネル（表示部）４９を有し、タッチパネル４９に表示された設定入力画面に触れることで液種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００２０】
また、人検知センサ５０としては、例えば、光センサあるいはイメージセンサなどを用いたものであり、給液操作を行う操作者が設定器２６の前に立ったことを検知してその検知信号を出力する。
【００２１】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２２】
カード挿入部５４は、給液所（燃料供給所）が発行したプリペイドカード、あるいはクレジットカードを挿入されると、カードに記憶された情報を読み取り、給液が可能かどうかを設定器２６に表示させる。
【００２３】
レシート発行部５６は、給液が終了すると、液種、給液量、給液金額、消費税、合計金額などの給液情報を記載したレシートを発行する。
【００２４】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２５】
図３は燃料供給装置１６の各機器の構成を示すブロック図である。
図３に示されるように、燃料供給装置１６の制御回路（制御手段）６６には、各給液経路に設けられた電磁弁６８、給液ポンプ７０、流量計７２、メモリ８０と、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８と、レシート発行部５６に設けられたプリンタ８２と接続されている。
【００２６】
メモリ８０には、設定器２６でプリセット供給モードが選択されない場合、後述する確認釦９０ｆの近傍に満タンを表示し、設定器２６でプリセット供給モードが選択された場合、設定量を確認するための確認釦９０ｆの近傍に確認を表示する制御プログラム（表示制御手段）が格納されている。
【００２７】
また、メモリ８０には、燃料の給液量あるいは給液量に対応する金額が設定された場合にプリセット供給モードであると認識する制御プログラム（プリセット供給モード判別手段）と、満タンと表示された確認釦９０ｆを押圧操作した場合に満タン供給モードであると認識する制御プログラム（満タン供給モード判別手段）とが格納されている。
【００２８】
ここで、図４乃至図１０を参照して設定器２６のタッチパネル４９に表示される設定操作画面の表示例について説明する。
【００２９】
手順▲１▼：顧客（運転者）が設定器２６の前に立つと、人検知センサ５０がオンになるため、図４に示されるように、タッチパネル４９の画面には、支払い方法入力画面８４が表示される。
【００３０】
支払い方法入力画面８４は、メッセージ表示領域８４ａと、設定操作表示領域８４ｂとを有する。そして、メッセージ表示領域８４ａには、例えば、「支払い方法を選んで下さい」といったような操作手順のガイダンスと、前回給液量釦８４ｃとが表示される。また、設定操作表示領域８４ｂには、「いらしゃいませ」といったメッセージが表示されると共に、現金支払い方法を選択するための現金選択釦８４ｄと、クレジットカード支払い方法を選択するためのクレジットカード選択釦８４ｅとが表示される。
【００３１】
前回給液量釦８４ｃは、前回給液された液種、給液量、給液金額などの給液データを表示させる場合に押圧操作される。尚、前回給液された給液データは、次の設定操作が開始されるまでメモリ８０に記憶されており、次の設定操作が開始と共に消去される。
【００３２】
顧客（運転者）は、タッチパネル４９に表示された現金選択釦８４ｄまたはクレジットカード選択釦８４ｅの表示領域に触れることで支払い方法を選択する。このように、支払い方法を選択されると、次の手順▲２▼に移行する。
【００３３】
手順▲２▼：例えば、手順▲１▼で現金支払い方法が選択された場合は、図５に示されるように、タッチパネル４９の画面に、紙幣入金画面８６が表示される。
【００３４】
紙幣入金画面８６は、メッセージ表示領域８６ａと、設定操作表示領域８６ｂとを有する。そして、メッセージ表示領域８６ａには、例えば、「右の紙幣投入口より紙幣を入れてください」といったような操作手順のガイダンスが表示される。
【００３５】
また、設定操作表示領域８６ｂには、紙幣挿入部５２に挿入された紙幣の金額を表示する入金額表示欄８６ｃと、入金額表示欄８６ｃに表示された「金額がよろしければ「決定」を押して下さい」といったような操作手順のガイダンス８６ｄと、取消釦８６ｅと、決定釦８６ｆとが表示される。
【００３６】
従って、顧客（運転者）は、紙幣を紙幣挿入部５２に挿入した後、入金額表示欄８６ｃに表示された金額が入金額と一致することを確認して決定釦８６ｆを押圧操作する。また、入金中に設定を取り止める場合には、取消釦８６ｅを押圧操作する。
【００３７】
このように、紙幣投入後に決定釦８６ｆが押圧操作されると、次の手順▲３▼に移行する。尚、取消釦８６ｅが押圧操作された場合には、挿入された紙幣が返却される。
【００３８】
手順▲３▼：例えば、手順▲２▼で決定釦８６ｆが押圧操作される場合は、図６に示されるように、タッチパネル４９の画面に、液種選択画面８８が表示される。
【００３９】
液種選択画面８８は、メッセージ表示領域８８ａと、設定操作表示領域８８ｂとを有する。そして、メッセージ表示領域８８ａには、例えば、「液種を選んで下さい」といったような操作手順のガイダンスが表示される。
【００４０】
また、設定操作表示領域８８ｂには、レギュラ選択釦８８ｃ、ハイオク選択釦８８ｄ、軽油選択釦８８ｅ、取消釦８８ｆと、入金画面に戻る釦８６ｇとが表示される。
【００４１】
従って、顧客（運転者）は、車両のエンジン仕様に対応する液種の液種選択釦（例えば、レギュラ選択釦８８ｃ）を押圧操作する。また、液種選択操作を間違えた場合には、取消釦８８ｆを押圧操作する。また、入金額を変更したい場合には、入金画面に戻る釦８６ｇを押圧操作する。
【００４２】
このように、レギュラ選択釦８８ｃ、ハイオク選択釦８８ｄ、軽油選択釦８８ｅの何れかの液種選択釦が押圧操作されると、次の手順▲４▼に移行する。
【００４３】
手順▲４▼：上記手順▲３▼で液種選択操作が行われると、図７に示されるように、タッチパネル４９の画面に、設定確認画面９０が表示される。
【００４４】
設定確認画面９０は、メッセージ表示領域９０ａと、設定操作表示領域９０ｂとを有する。そして、メッセージ表示領域９０ａには、例えば、「設定内容を確認してください」といったような操作手順のガイダンスが表示される。
【００４５】
また、設定操作表示領域９０ｂには、上記手順１〜３で設定された支払い方法、液種、入金額、単価、給液方法（プリセット供給モードまたは満タン供給モード）、プリセット給液の場合のプリセット金額、プリセット量が表示される設定データ一覧９０ｃと、量指定釦９０ｄと、金額指定釦９０ｅと、確認釦９０ｆと、取消釦９０ｇと、液種画面に戻る釦９０ｈとが表示される。
【００４６】
給液量を設定する場合には、量指定釦９０ｄを押圧操作する。この場合、入金額の範囲内で任意の給液量をプリセットすることが可能になる。また、給液金額を設定する場合には、金額指定釦９０ｅを押圧操作する。この場合、入金額を最大値として任意の給液金額をプリセットすることが可能になる。
【００４７】
確認釦９０ｆは、プリセット供給モードで給液する場合には、「確認」と表示されており、満タン供給モードで給液する場合には、「満タン」と表示される。従って、確認釦９０ｆは、顧客（運転者）が量指定釦９０ｄまたは金額指定釦９０ｅを押圧操作しない場合には、「満タン」と表示され、顧客（運転者）が量指定釦９０ｄまたは金額指定釦９０ｅを押圧操作した場合には、「確認」と表示される。
【００４８】
そのため、満タン供給モードで給液する場合には、液種を選択した後、確認釦９０ｆを押圧操作すれば良いことが容易に分かる。
【００４９】
このように、プリセット供給モードまたは満タン供給モードの設定操作が終了すると、次の手順▲５▼に移行する。
【００５０】
手順▲５▼：上記手順▲４▼で設定操作が行われると、図８に示されるように、タッチパネル４９の画面に、設定完了画面９２が表示される。
【００５１】
設定完了画面９２は、メッセージ表示領域９２ａと、設定完了表示領域９２ｂとを有する。そして、メッセージ表示領域９２ａには、例えば、「ノズルを給液口に入れ、レバーを引いてください」といったような操作手順のガイダンスが表示される。
【００５２】
また、設定完了画面９２には、上記設定データ（支払方法、液種、入金額、給液方法、プリセット供給モードの場合そのプリセット金額、プリセット量）を表示する設定データ表示部９２ｃと、取消釦９２ｄとが表示される。
【００５３】
従って、顧客（運転者）は、設定データ表示部９２ｃに表示された設定データを確認した後、給液ノズル６０をノズル掛け６２から外して車両（図示せず）の給液口に挿入する。そして、給液ノズル６０のノズルレバーが開弁操作されることで、給液が開始される。
【００５４】
このように、車両への給液が開始されると、次の手順▲６▼に移行する。
【００５５】
手順▲６▼：上記手順▲５▼で給液開始操作が行われると、図９に示されるように、タッチパネル４９の画面に、給液中画面９４が表示される。
【００５６】
給液中画面９４は、給液量を更新表示する給液量表示領域９４ａと、給液量に応じた金額を更新表示する給液金額表示領域９４ｂと、設定された液種の単価を表示する液種単価表示領域９４ｃと、支払方法、液種、入金額、給液方法等の設定データを表示する設定データ表示領域９４ｄとを有する。
【００５７】
そして、プリセット供給モードまたは満タン供給モードの給液が終了すると、次の手順▲７▼に移行する。
【００５８】
手順▲７▼：上記手順▲６▼で給液が終了すると、図１０に示されるように、タッチパネル４９の画面に、給液終了画面９６が表示される。
【００５９】
給液中画面９６は、メッセージ表示領域９６ａと、給液結果を表示する給液結果表示領域９６ｂとを有する。メッセージ表示領域９６ａには、例えば、「給液終了」といったメッセージを表示して、顧客（運転者）に給液が終了したことを報知する。
【００６０】
また、給液結果表示領域９６ｂには、例えば、「ありがとうございました」といったメッセージを表示すると共に、給液量、税込み給液金額、消費税額の各数値、及び支払方法、液種、入金額、給液方法等の設定データを表示する。
【００６１】
これで、顧客（運転者）は、タッチパネル４９に表示された給液終了画面９６から今回の給液操作による給液量、税込み給液金額を確認する。
【００６２】
この給液終了画面９６は、給液ノズル６０をノズル掛け６２に戻した後、所定時間表示される。その後、タッチパネル４９の画面には、図４に示す設定スタート画面８４が表示される。
【００６３】
尚、本実施例では、上記手順▲１▼〜▲７▼の各画面を順番に表示する場合について説明したが、例えば、手順▲５▼の設定完了画面９２を省略し、手順▲４▼から手順▲６▼に移行するようにしても良い。
【００６４】
ここで、燃料供給装置１６の制御回路６６が実行する制御処理について図１１及び図１２を参照して説明する。
【００６５】
図１１に示されるように、制御回路６６は、ステップＳ１１（以下「ステップ」を省略する）において、人検知センサ５０がオンかどうかをチェックする。人検知センサ５０がオンになると、顧客が設定器２６の前にいるものと判断して、Ｓ１２に進み、設定器２６のタッチパネル４９に支払い方法入力画面８４（図４参照）を表示する。
【００６６】
次のＳ１３では、クレジットカード選択釦８４ｅが押圧操作されたかどうかをチェックする。Ｓ１３において、クレジットカード選択釦８４ｅが押圧操作されなかったときは、上記Ｓ１１に戻る。
【００６７】
また、Ｓ１３において、クレジットカード選択釦８４ｅが押圧操作されたときは、Ｓ１５に進み、カード挿入部５４に挿入されたカードが使用可能かどうかをチェックする。Ｓ１５において、カード挿入部５４に挿入されたカードが使用期限が切れていたり、契約以外のカードである場合には、Ｓ１６に進み、当該カードを返却して上記Ｓ１１に戻る。
【００６８】
また、上記Ｓ１５において、カード挿入部５４に挿入されたカードが使用可能であれば、Ｓ１７に進み、液種選択画面８８（図６参照）をタッチパネル４９に表示する。
【００６９】
また、上記Ｓ１４において、現金選択釦８４ｄが押圧操作されたときは、Ｓ１８に進み、紙幣入金画面８６（図５参照）をタッチパネル４９に表示して紙幣投入を指示する。次のＳ１９では、紙幣が紙幣挿入部５２に挿入されたかどうかをチェックする。
【００７０】
Ｓ１９において、紙幣が紙幣挿入部５２に挿入された場合は、Ｓ２０に進み、紙幣挿入部５２に挿入された紙幣の種別（千円札、２千円札、５千円札、一万円札）を紙幣鑑別部７６で鑑別し、その鑑別結果である入金額を表示する（図５参照）。続いて、Ｓ２１では、紙幣入金画面８６の決定釦８６ｆが押圧操作されたかどうかをチェックする。Ｓ２１において、紙幣入金画面８６の決定釦８６ｆが押圧操作されないときは、上記Ｓ１９に戻り、Ｓ１９以降の処理を実行する。
【００７１】
また、Ｓ２１において、紙幣入金画面８６の決定釦８６ｆが押圧操作されたときは、上記Ｓ１７に進み、液種選択画面８８（図６参照）をタッチパネル４９に表示する。
【００７２】
次のＳ２２では、液種選択画面８８に表示されたレギュラ選択釦８８ｃ、ハイオク選択釦８８ｄ、軽油選択釦８８ｅの何れかが押圧操作されたかどうかをチェックする。Ｓ２２において、レギュラ選択釦８８ｃ、ハイオク選択釦８８ｄ、軽油選択釦８８ｅの何れかが押圧操作されて液種を選択すると、Ｓ２３に進み、設定確認画面９０（図７参照）をタッチパネル４９に表示して設定内容の確認を行う（表示制御手段）。
【００７３】
このとき、設定確認画面９０の確認釦９０ｆは、プリセット供給モードの場合には、「確認」と表示され、満タン供給モードの場合には、「満タン」と表示される。これにより、顧客（運転者）は、満タン供給モードで給液する場合には、液種を選択した後、確認釦９０ｆを押圧操作すれば良いことが容易に分かるので、係員に質問することもなくなり、給液設定操作の時間が短縮される。
【００７４】
続いて、図１２に示されるように、Ｓ２４では、確認釦（満タン）９０ｆが押圧操作されたかどうかをチェックする（満タン供給モード判別手段）。Ｓ２４において、確認釦（満タン）９０ｆが押圧操作されないときは、満タン供給モードが選択されずに、プリセット供給モードが選択されたものと判断してＳ２５に進み、設定確認画面９０の量指定釦９０ｄが押圧操作されたかどうかをチェックする（プリセット供給モード判別手段）。
【００７５】
Ｓ２５において、設定確認画面９０の量指定釦９０ｄが押圧操作されないときは、Ｓ２６に進み、設定確認画面９０の金額指定釦９０ｅが押圧操作されたかどうかをチェックする（プリセット供給モード判別手段）。Ｓ２６において、設定確認画面９０の金額指定釦９０ｅが押圧操作されないときは、Ｓ２４に戻り、Ｓ２４〜Ｓ２６の処理を繰り返す。
【００７６】
上記Ｓ２４において、確認釦（満タン）９０ｆが押圧操作されたときは、満タン供給モードが選択されたものと判断してＳ２７に進み、設定完了画面９２（図８参照）をタッチパネル４９に表示して給液操作の開始を指示する。
【００７７】
また、上記Ｓ２５において、設定確認画面９０の量指定釦９０ｄが押圧操作されたときは、Ｓ２８に進み、量指定選択画面（図示せず）をタッチパネル４９の画面に表示する。
【００７８】
次のＳ２９では、給液量を入力され、確認釦９０ｆが押圧操作されたかどうかをチェックする。Ｓ２９において、確認釦９０ｆが押圧操作されたときは、Ｓ３０に進み、設定確認画面９０をタッチパネル４９の画面に表示して設定内容の確認を行う。
【００７９】
Ｓ３１では、給液量などの設定内容を確認するため確認釦９０ｆが押圧操作されたかどうかをチェックする。Ｓ３１において確認釦９０ｆが押圧操作されると、Ｓ３３に進み、Ｓ３３以降の処理を実行する。
【００８０】
また、上記Ｓ２６において、設定確認画面９０の金額指定釦９０ｅが押圧操作された場合には、Ｓ３２に進み、金額指定選択画面（図示せず）をタッチパネル４９の画面に表示する。この後は、上記量指定の場合と同様にＳ２９以降の処理を実行する。
【００８１】
このように、Ｓ２４において、満タン供給モードが選択された場合、あるいはＳ２５で給液量を設定したプリセット供給モードが選択された場合、あるいは
Ｓ２６で給液額を設定したプリセット供給モードが選択された場合には、Ｓ３３に進む。
【００８２】
次のＳ３３では、ノズル掛け６２に設けられたノズルスイッチ７４がオフかどうかをチェックする。Ｓ３３において、ノズルスイッチ７４がオフになると、ノズル掛け６２から給液ノズル６０が外されて車両（図示せず）の給液口に挿入され、満タン給液が開始されたものと判断する。
【００８３】
続いて、Ｓ３４では、タッチパネル４９の画面に給液中画面９４（図９参照）を表示して給液中の給液情報（給液量、税込み金額、単価など）を報知する。
【００８４】
次のＳ３５では、プリセット供給モードの場合、流量計７２により計測された給液量または給液金額が予め設定されたプリセット値に達したかどうかをチェックする。Ｓ３５において、給液量または給液金額が予め設定されたプリセット値に達しないときは、Ｓ３６に進み、ノズル掛け６２に設けられたノズルスイッチ７４がオンかどうかをチェックする。
【００８５】
Ｓ３６において、ノズルスイッチ７４がオンになると、満タン供給モードが終了してノズル掛け６２に給液ノズル６０が戻されて当該車両（図示せず）への満タン給液が終了したものと判断し、Ｓ３７に進む。
【００８６】
上記Ｓ３５において、給液量または給液金額が予め設定されたプリセット値に達したときは、プリセット供給モードが終了したものと判断し、あるいは上記Ｓ３６において、ノズルスイッチ７４がオンであるときは、満タン供給モードが終了したものと判断してＳ３６に進み、給液ポンプ７０を停止させる。
【００８７】
その後、Ｓ３７でタッチパネル４９の画面に給液終了画面９６（図１０参照）表示する。次のＳ３８では、予め設定された所定時間が経過したかどうかをチェックする。これは、給液を終了した顧客が人検知センサ５０に検出された場合に支払い方法入力画面８４（図４参照）が表示されることを防止するためである。
【００８８】
上記Ｓ３８において、所定時間が経過した場合には、Ｓ３９に進み、タッチパネル４９に表示された給液終了画面９６を消去する。これで、給液処理が終了する。
【００８９】
尚、上記実施の形態では、液晶モニタからなるタッチパネルを設定器に用いた構成を一例として説明したが、これに限らず、例えば、複数の押しボタン式スイッチを配置させるように構成された設定器を用いた構成でも良い。その場合、例えば、確認釦の近傍に文字を表示する表示部を設け、この表示部に「確認釦」または「満タン釦」と表示すれば良い。
【００９０】
また、地上設置型の計量機に取り付けられた構成を一例として挙げたが、これに限らず、懸垂式の給液装置にも適用できるのは勿論である。
【００９１】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００９２】
【発明の効果】
上述の如く、上記請求項１記載の発明によれば、任意の設定釦を押圧操作することにより燃料の供給量あるいは供給量に対応する金額を設定するプリセット供給モードまたは満タン供給モードを選択的に設定する設定器と、設定器に設定された設定量の燃料を供給するように燃料の供給量を制御する供給量制御手段とを備えた燃料供給装置において、設定器でプリセット供給モードが選択されない場合、確認釦の近傍に満タンを表示し、設定器でプリセット供給モードが選択された場合、設定量を確認するための確認釦の近傍に確認を表示する表示制御手段を備えたものであり、満タン供給モードで供給する場合の設定操作が容易に行えるので、燃料供給所所の係員に操作方法を確認する必要もなく、供給開始までの操作時間を短縮して作業効率を高めることができる。
【００９３】
また、請求項２記載の発明によれば、燃料の供給量あるいは供給量に対応する金額が設定された場合にプリセット供給モードであると認識するプリセット供給モード判別手段と、満タンと表示された確認釦を押圧操作した場合に満タン供給モードであると認識する満タン供給モード判別手段と、を備えたものであり、操作者がプリセット供給モードを希望するのか、満タン供給モードを希望するのかを正確に認識することができる。
【図面の簡単な説明】
【図１】本発明になる燃料供給装置の一実施例が適用された給液システムの構成図である。
【図２】燃料供給装置１６の正面図である。
【図３】燃料供給装置１６の各機器の構成を示すブロック図である。
【図４】支払い方法入力画面８４の表示例を示す図である。
【図５】紙幣入金画面８６の表示例を示す図である。
【図６】液種選択画面８８の表示例を示す図である。
【図７】設定確認画面９０の表示例を示す図である。
【図８】設定完了画面９２の表示例を示す図である。
【図９】給液中画面９４の表示例を示す図である。
【図１０】給液終了画面９６の表示例を示す図である。
【図１１】燃料供給装置１６の制御回路６６が実行する制御処理を説明するためのフローチャートである。
【図１２】図１１に示す処理に続いて実行される制御処理を説明するためのフローチャートである。
【符号の説明】
１０  給液システム
１２  給液エリア
１４  釣り銭機
１６（１６１〜１６ｎ）  燃料供給装置
２０  ＰＯＳ本体
２２  記憶装置
２４  計量機
２６  設定器
２８  自動支払機
３０  通信回線
３２１〜３２ｎ  監視カメラ
３４  カメラ分割ユニット
３６  監視モニタ
３８  操作部
４９  タッチパネル
５０  人検知センサ
５２  紙幣挿入部
５４  カード挿入部
５６  レシート発行部
６２  ノズル掛け
６０  給液ノズル
６６  制御回路
７０  給液ポンプ
７２  流量計
７８  カードＲ／Ｗ
８０  メモリ
８２  プリンタ
８４  支払い方法入力画面
８６  紙幣入金画面
８８  液種選択画面
９０  設定確認画面
９０ｆ  確認釦（満タン）
９２  設定完了画面
９４  給液中画面
９６  給液終了画面
【図１】
2004175374.tif 000003
【図２】
2004175374.tif 000004
【図３】
2004175374.tif 000005
【図４】
2004175374.tif 000006
【図５】
2004175374.tif 000007
【図６】
2004175374.tif 000008
【図７】
2004175374.tif 000009
【図８】
2004175374.tif 000010
【図９】
2004175374.tif 000011
【図１０】
2004175374.tif 000012
【図１１】
2004175374.tif 000013
【図１２】
2004175374.tif 000014